(57)【特許請求の範囲】
【請求項１】
前面側外周に外周ビードを有する外周フランジが設けられた内箱と、
前面側内周に前記内箱の外周フランジが挿入されるフランジ開口部を有する前面フランジが設けられ、前記内箱の外周に装着される側板と、
該側板の背面側に装着される背面板と、前面側下部を覆う前桁とを備え、
前記前桁を、前面部、該前面部の上部を背面側に折曲げたのち上方に延設され、前記内箱の下部前縁部の背面側に挿入される嵌合部、前記前面部の下端部背面側に設けられた底面部、前記前面部の両側に段差部を介して該前面部より背面側に立設され、前記側板のフランジ開口部及び前記内箱の外周ビード間に挿入される係止片、及び該係止片の前面側下部に設けられて前記側板の前面フランジの下部に係止する係止爪によって構成すると共に、
前記内箱の外周フランジ側の下部に切欠きからなる係合部を設けたことを特徴とする冷蔵庫。
【請求項２】
前記前桁の係止片の上部に、背面側に浅く突出する絞り部、又は背面側に折曲げた折曲げ部を設けたことを特徴とする請求項１記載の冷蔵庫。
【請求項３】
前記内箱の外周フランジの下部を、背面側に斜め下方に折曲げて面取り部を設けたことを特徴とする請求項１又は２記載の冷蔵庫。
【請求項４】
前記側板の前面フランジから前記内箱の外周ビードを介して前記内箱と側板との間に断熱材を充填するための凝縮パイプを挿入したことを特徴とする請求項１〜３のいずれか１項に記載の冷蔵庫。
【発明の詳細な説明】
【技術分野】
【０００１】
本発明は、冷蔵庫に係り、より詳しくは、冷蔵庫本体の前面側下部に設けた前桁の取付構造に関するものである。
【背景技術】
【０００２】
冷蔵庫本体の前面側下部に装着された前桁は、冷蔵庫本体から外れ（倒れ）易く、前桁が外れる（倒れる）と、冷蔵庫本体と前桁との間から庫外の暖かい湿った空気が冷蔵庫内に侵入し、冷蔵庫の冷却機能を損うことがある。このため、前桁の冷蔵庫本体への取付けにあたっては、外れ（倒れ）を防止するために種々工夫がこらされている。
【０００３】
図１０は従来の冷蔵庫の模式的斜視図、図１１は図１０の冷蔵庫の内箱、側板及び背面板を分解した斜視図、図１２は図１０のＤ−Ｄ断面図、図１３は図１２のＥ−Ｅ断面図、図１４は図１２の前桁の斜視図である。
冷蔵庫本体１は、樹脂成形品からなる内箱２、金属板を曲げ加工してなり内箱２の外周に装着された門型の側板１０、金属板からなり側板１０の背面側に装着された背面板１３及び冷蔵庫本体１の前面開口部を開閉する扉１４等からなっている。
【０００４】
内箱２の左右の側壁及び天板の前面側外周には、門型状に背面側に突出する外周ビード４を有する外周フランジ３が設けられている。また、側板１０の左右の側壁及び天板の前面側内周には、図１３に示すように、内側にほぼ直角に折曲げて前側フランジ１１ａを形成したのち外側にヘアピン状に折返えして後側フランジ１１ｂが形成され、ついで、後側フランジ１１ｂの外側端部を側板１０の内壁面に沿って背面側に延設したのち、再び内側に折曲げて形成された奥側フランジ１１ｃにより、内側に向って開口する（以下、後側フランジ１１ｂと奥側フランジ１１ｃとの間をフランジ開口部１１ｄという）ほぼコ字状の前面フランジ１１が設けられている。１２は側板１０の背面側に設けられた背面フランジである。
【０００５】
１５は金属板を曲げ加工してなり、内箱２の下面に装着される底板、１６は一対の底面梁である。２０ａは金属板を曲げ加工してなり、冷蔵庫本体１の前面側下部を覆う前桁で、図１４に示すように、前面部２１ａとその下端部背面側に設けられた底面部２３ａとによりほぼＬ字状に形成されており、前面部２１ａの左右両端部には、それぞれ前面板２１ａより高い係止片２５ａが立設されて、その上部には背面側に向って長く（深く）突設された絞り部２６ａが設けられている。２７ａは両係止片２５ａの前面側下端部に設けられた係止爪である。
【０００６】
このように構成した内箱２の上から門型の側板１０を装着し、その前面フランジ１１の後部フランジ１１ｂと奥側フランジ１１ｃとの間のフランジ開口部１１ｄ内に内箱２の外周ビード４を有する外周フランジ３を挿入し、また、側板１１の背面フランジ１２に金属板からなる背面板１３の外周を挿入して、これらにより内箱２の外周を覆う。
【０００７】
次に、内箱２の底面に底板１５を取付け、ついで、前桁２０ａの両端部に設けた係止片２５ａの上部を側板１０の前面フランジ１１のフランジ開口部１１ｄに挿入された内箱２の外周フランジ３と重なるように挿入し、その絞り部２６ａを奥側フランジ１１ｃに当接させると共に、係止片２５ａの背面側を底板１５の先端部に当接させる。このとき、前桁２０ａに設けた係止爪２７ａは、前面フランジ１１の前側フランジ１１ａと後側フランジ１１ｂとの間に挿入され係止する。
【０００８】
そして、底板１５の下面の両側に、側板１０の前面フランジ１１から背面フランジ１２に達するように底面梁１６を挿入し、側板１０の前面フランジ１１のフランジ開口部１１ｄ内に挿入された内箱２の外周フランジ３の外周ビード４を介して、前面フランジ１１の奥側フランジ１１ｃとの間に凝縮パイプ３０を挿入し、内箱２と側板１１及び背面板１３との間に断熱材３１を充填する。
【０００９】
このように、従来の冷蔵庫においては、冷蔵庫本体１の側板１０に設けた前面フランジ１１のフランジ開口部１１ｄ内に、外周ビード４を有する内箱２の外周フランジ３を挿入し、前桁２０ａの左右端部に設けた係止片２５ａの絞り部２６ａを挿入して、この絞り部２６ａを前面フランジ１１の奥側フランジ１１ｃに圧接させ、また、係止片２５ａの前面側下端部に設けた係止爪２７ａを、前面フランジ１１の前側フランジ１１ａと後側フランジ１１ｂとの間に挿入して係止させることにより、前桁２０ａの外れ（倒れ）を防止している。
【００１０】
上記の従来技術とほぼ同様の発明が記載された先行技術文献がある（例えば、特許文献１参照）。
【先行技術文献】
【特許文献】
【００１１】
【特許文献１】特許第３９５７５６３号公報（第２−３頁、図１１）
【発明の概要】
【発明が解決しようとする課題】
【００１２】
従来の冷蔵庫においては、前桁２０ａの係止片２５ａには背面側に向って長く（深く）突出する絞り部２６ａを設け、この絞り部２６ａを側板１０の前面フランジ１１のフランジ開口部１１ｄ内に挿入した内箱２の外周フランジ３の外周ビード４内に挿入して奥側フランジ１１ｃを押圧し、また、係止爪２７ａを前面フランジ１１の前側フランジ１１ａと後側フランジ１１ｂとの間に挿入して係止させ、前桁２０ａの外れ（倒れ）を防止している。
【００１３】
このため、前桁２０ａを加工するための金型の製作が面倒で、多くの工数を要するため高価になり、また、絞り部２６ａを外周ビード４を介して前面フランジ１１の奥側フランジ１１ｃに圧接させるため、前桁２０ａの剛性を高くしなければならないので、前桁２０ａを形成する金属板の板厚を薄くし、軽量化することが困難であった。
【００１４】
また、内箱２と側板１０及び背面板１３との間に断熱材３１を充填するために、側板１０の前面フランジ１１のフランジ開口部１１ｄ内において、内箱２の外周ビード４内に配管される凝縮パイプ３０は、冷蔵庫本体１の前面側開口部の結露を防止するために、フランジ開口部１１ｄに押し付ける必要があり、このため、内箱２の外周ビード４を含む外周フランジ３と、凝縮パイプ３０の外径とを合わせた寸法が、前面フランジ１１のフランジ開口部１１ｄの寸法より大きく、締め嵌めとなっている。これにより、内箱２が奥側に押し下げられ、内箱２に当接する前桁２０ａが後方に押し下げられて前桁２０ａが倒れ易くなり、後側フランジ１１ｂと前桁２０ａとの間に段差を生じ易い。
【００１５】
また、前桁２０ａには、冷蔵庫本体１の前面側開口部を塞ぐ扉１４の外周に配置されたガスケットに当接する面が設けられており、前述のように後側フランジ１１ｂと前桁２０ａとの間に生じた段差によって、この面とガスケットとの間にすき間を生じることがあり、この隙間から冷蔵庫内に庫外の暖かく湿った空気を吸込むことにより、冷却に支障を来たすことがあった。
【００１６】
本発明は、上記の課題を解決するためになされたもので、安価かつ簡単な構造で所定の位置に確実に保持することのできる前桁を備えた冷蔵庫を提供することを目的としたものである。
【課題を解決するための手段】
【００１７】
本発明に係る冷蔵庫は、前面側外周に外周ビードを有する外周フランジが設けられた内箱と、前面側内周に前記内箱の外周フランジが挿入されるフランジ開口部を有する前面フランジが設けられ、前記内箱の外周に装着される側板と、該側板の背面側に装着される背面板と、前面側下部を覆う前桁とを備え、前記前桁を、前面部、該前面部の上部を背面側に折曲げたのち上方に延設され、前記内箱の下部前縁部の背面側に挿入される嵌合部、前記前面部の下端部背面側に設けられた底面部、前記前面部の両側に段差部を介して該前面部より背面側に立設され、前記側板のフランジ開口部及び前記内箱の外周ビード間に挿入される係止片、及び該係止片の前面側下部に設けられて前記側板の前面フランジの下部に係止する係止爪によって構成すると共に、前記内箱の外周フランジ側の下部に切欠きからなる係合部を設けたものである。
【発明の効果】
【００１８】
本発明によれば、構造が簡単で軽量化でき、その上安価で所定の位置に確実に保持することができ、外れたり倒れたりすることのない前桁を備えた冷蔵庫を得ることができる。
【図面の簡単な説明】
【００１９】
【図１】本発明の一実施の形態に係る冷蔵庫の要部の断面図である。
【図２】図１のＡ−Ａ断面図である。
【図３】図１のＢ−Ｂ断面図である。
【図４】図１の前桁の斜視図である。
【図５】図１の内箱と前桁の要部を示す斜視図である。
【図６】図５の内箱に前桁を装着した状態を示す斜視図である。
【図７】図６のＣ−Ｃ断面図である。
【図８】図５の前桁又は内箱と前桁に係合部を設けた状態を示す説明図である。
【図９】内箱の外周フランジの下端部に面取り部を設けた状態を示す説明図である。
【図１０】従来の冷蔵庫の模式的斜視図である。
【図１１】図１０の内箱、側板及び背面板を分解した斜視図である。
【図１２】図１０のＤ−Ｄ断面図である。
【図１３】図１２のＥ−Ｅ断面図である。
【図１４】図１２の前桁の斜視図である。
【発明を実施するための形態】
【００２０】
図１は本発明の一実施の形態に係る冷蔵庫の要部の断面図（図１０のＤ−Ｄ断面に相当）、図２は図１のＡ−Ａ断面図、図３は図１のＢ−Ｂ断面図、図４は図１の前桁の斜視図、図５は図１の内箱と前桁の要部を示す斜視図である。なお、本発明を実施する冷蔵庫は、一部を除き図１０、図１１の従来の冷蔵庫とほぼ同様の構成なので図面の再掲を省略し、また、図１０〜図１４で説明した従来技術と同一又は同じ機能の部分には、これと同じ符号を付してある。
【００２１】
本実施の形態においては、冷蔵庫本体１の前面側下部に装着される前桁２０を、図４（ａ）に示すように、上部に背面側に折曲げたのち上方に延設された嵌合部２２を有する前面部２１と、前面部２１の両端部に段差部２４を介して連接され、前面部２１より背面側において嵌合部２２より高い位置まで立設された係止片２５と、前面部２１と係止片２５の下端部から背面側に延設された底面部２３とによりほぼＬ字状に形成したものである。
【００２２】
そして、係止部２５の上部には僅かに背面側に突設された絞り部２６が設けられており、また、下端部の前面側には係止爪２７が設けられている。なお、図５に示すように、内箱２の外周フランジ３の基部側には、切欠きからなり下方に開口する係合部６が設けられている。
【００２３】
上記のように構成した本実施の形態において、図１〜図３に示すように、側板１０の前面フランジ１１の後側フランジ１１ｂと奥側フランジ１１ｃの間に形成されたフランジ開口部１１ｄ内に、外周ビード４を有する内箱２の外周フランジ３を挿入し、また、側板１１の背面フランジ１２に背面板１３の外周を挿入して、これらにより内箱２の外面を覆い、内箱２の下面に底板１５を装着する。
【００２４】
ついで、図５に示すように、前桁２０を内箱２の前面側の下に位置させて押し上げ、図６、図７に示すように、嵌合部２２を内箱２の下部前縁部５の背面側に挿入すると共に、係止片２５を内箱２の係合部６に嵌入し係合させる。
【００２５】
このとき、前桁２０の係止片２５は側板１０の前面フランジ１１の後側フランジ１１ｂの背面側に当接し、絞り部２６は内箱２の外周ビード４内に位置し、係止片２５の背面側は底板１５の前端部に当接する。また、係止片２５の下端部前面側に設けた係止爪２７は、側板１０の前面フランジ１１の前側フランジ１１ａと後側フランジ１１ｂとの間に挿入され、係止する。
【００２６】
次に、底板１５の両側に側板１０の前面フランジ１１から背面フランジ１２に達するように底面梁１６を取付ける。そして、側板１０のフランジ開口部１１ｄ内に挿入された内箱２の外周ビード４を介して、内箱２と側板１０との間に凝縮パイプ３０を挿入し、内箱２と側板１０及び背面板１３との間に断熱材３１を充填する。
【００２７】
上記のように構成した本実施の形態においては、側板１０に設けた前面フランジ１１のフランジ開口部１１ｄ内に、外周ビード４を有する内箱２の外周フランジ３を挿入すると共に、前桁２０の嵌合部２２を内箱２の下部前縁部５の背面側に挿入し、その係止片２５を内箱２の係合部６に係合させ、さらに、前桁２０に設けた係止爪２７を側板１０の前面フランジ１１の前側フランジ１１ａと後側フランジ１１ｂの間に挿入して係止させたので、前桁２０は所定の位置に確実に保持され、外れたり倒れたりすることがない。
【００２８】
また、前桁２０には、浅い絞り部２６若しくは折曲げ部２８が設けられて、内箱２の外周ビード４内に配設されるので、前桁２０に大きな剛性を持たせる必要がなく、このため前桁２０に薄い材料を使用することができるため、製造が容易で安価かつ軽量の前桁２０を得ることができる。
【００２９】
さらに、冷蔵庫本体１の前面開口部の外周に設けたガスケットと前桁２０との間にすき間を生じることがなく、庫内に外気が侵入するおそれがないので、冷蔵庫内を常に所定の温度に維持することができ、より省エネルギー化に優れた冷蔵庫を得ることができる。
【００３０】
上記の説明では、前桁２０の係止片２５に浅い絞り部２６を設けた場合を示したが、絞り部２６に代えて、図４（ｂ）に示すように、係止片２５の上端部を背面側にＬ字状、Ｊ字等に折曲げて、折曲げ部２８を設けてもよく、さらには、この絞り部２６や折曲げ部２８を省略してもよい。
【００３１】
また、図５に示すように、内箱２の外周フランジ３の基部側に下方に開口する切欠きからなる係合部６を設けた場合を示したが、この係合部６に代えて、図８（ａ）に示すように、前桁２０の係止片２５の段差部２４側に上方に開口する切欠きからなる係合部２９を設け、この係合部２９に内箱２の外周フランジ３の基部側に嵌合するようにしてもよい。
また、図８（ｂ）に示すように、内箱２と前桁２０の両方に切欠きからなる係合部６，２９を設け、これら両係合部６，２９を嵌め合わせるようにしてもよい。
【００３２】
また、図９に示すように、内箱２の外周フランジ３の下端部を背面側に斜め下方に折曲げて面取り部３ａを形成してもよく、このように構成することにより、前桁２０の装着を容易にすることができる。
【符号の説明】
【００３３】
１  冷蔵庫本体、２  内箱、３  外周フランジ、３ａ  面取り部、４  外周ビード、５  内箱の下部前縁部、６  係合部、１０  側板、１１  前面フランジ、１１ａ  前側フランジ、１１ｂ  後側フランジ、１１ｃ  奥側フランジ、１１ｄ  フランジ開口部、１２  背面フランジ、１３  背面板、１４  扉、１５  底板、１６  底面梁、２０  前桁、２１  前面部、２２  嵌合部、２３  底面部、２４  段差部、２５  係止片、２６  絞り部、２７  係止爪、２８  折曲げ部、２９  係合部、３０  凝縮パイプ、３１  断熱材。
【図１】
0005599326.tif 000002
【図２】
0005599326.tif 000003
【図３】
0005599326.tif 000004
【図４】
0005599326.tif 000005
【図５】
0005599326.tif 000006
【図６】
0005599326.tif 000007
【図７】
0005599326.tif 000008
【図８】
0005599326.tif 000009
【図９】
0005599326.tif 000010
【図１０】
0005599326.tif 000011
【図１１】
0005599326.tif 000012
【図１２】
0005599326.tif 000013
【図１３】
0005599326.tif 000014
【図１４】
0005599326.tif 000015